(57)【要約】【課題】種々の形状の食品に対して、十分な冷却速度を得ることができる冷蔵庫を提供することを目的とする。【解決手段】断熱箱体内１０に、冷却器７と、冷却器７が収納される冷却器収納室８と、冷気を庫内に循環させるための庫内送風ファン９と、食品を急速に冷却することが可能な急速冷却室４と、冷気を急速冷却室に送るための急速冷却室送風ダクト１３と、冷気を冷却器収納室８へ戻すための急速冷却室戻りダクト１８とを備えた冷蔵庫において、前記急速冷却室４の側面３７には噴流を前記急速冷却室４に放出すべく噴流吐出口３３を備え、急速冷却室４を冷却すべく主たる冷却風を前記噴流吐出口３３から放出する。【選択図】図５
2008008565.tif 000002
【特許請求の範囲】
【請求項１】
断熱箱体内に、冷却器と、冷却器を収納する冷却器収納室と、冷気を庫内に循環させるための庫内送風ファンと、食品を急速に冷却することが可能な急速冷却室と、冷気を急速冷却室に送るための送風経路と、冷気を冷却器収納室へ戻すための戻り経路とを備えた冷蔵庫において、前記急速冷却室を冷却する冷却風を放出する噴流吐出口を、前記急速冷却室の側面に備えた冷蔵庫。
【請求項２】
前記噴流吐出口を複数備えたことを特徴とする請求項１記載の冷蔵庫。
【請求項３】
断熱箱体内に、冷却器と、冷却器を収納する冷却器収納室と、冷気を庫内に循環させるための庫内送風ファンと、食品を急速に冷却することが可能な急速冷却室と、冷気を急速冷却室に送るための送風経路と、冷気を冷却器収納室へ戻すための戻り経路とを備えた冷蔵庫において、前記急速冷却室を冷却する冷却風を放出する噴流吐出口を複数備え、
一の噴流吐出口から放出される冷却風と、他の噴流吐出口から放出される冷却風とが水平方向に対向して吐出され、前記急速冷却室内に収納される食品に対して両側から冷却風を供給することを特徴とする冷蔵庫。
【請求項４】
複数備えられた前記噴流吐出口の開口面積の和は、前記送風経路を構成する急速冷凍室送風ダクトにおける最小断面積部分よりも小さいことを特徴とする請求項２または３に記載の冷蔵庫。
【請求項５】
前記噴流吐出口を前記急速冷却室の互いに対向する面に備えたことを特徴とする請求項２乃至４のいずれかに記載の冷蔵庫。
【請求項６】
前記急速冷却室の互いに対向する面に備えた噴流吐出口から、速度が異なる噴流を噴出させることを特徴とする請求項５記載の冷蔵庫。
【請求項７】
前記一の噴流吐出口から放出される冷却風と前記他の噴流吐出口から放出される冷却風との速度が異なることを特徴とする請求項３記載の冷蔵庫。
【請求項８】
前記急速冷却室に前記噴流吐出口と前記急速冷却室の室内空間との相対位置を変更すべく噴流吐出位置変更手段を備えたことを特徴とする請求項１乃至７のいずれかに記載の冷蔵庫。
【請求項９】
前記噴流吐出口と前記急速冷却室の室内空間との相対位置を変更する手段に回転機構を用いることを特徴とする請求項８記載の冷蔵庫。
【請求項１０】
前記急速冷却室に、庫内送風ファンと別体の急速冷却室冷却ファンを備えたことを特徴とする請求項１乃至９のいずれか記載の冷蔵庫。
【請求項１１】
前記急速冷却室冷却ファンを遠心ファンとしたことを特徴とする請求項１０記載の冷蔵庫。
【請求項１２】
前記急速冷却室冷却ファンの吸込み口と前記急速冷却室送風経路の終端部を連通させたことを特徴とする請求項１０または１１に記載の冷蔵庫。
【請求項１３】
前記急速冷却室の底面に回転手段を備えたことを特徴とする請求項１乃至１２のいずれかに記載の冷蔵庫。
【請求項１４】
前記回転手段による回転運動の速度を、急速冷却中に変化させることを特徴とする請求項１３記載の冷蔵庫。
【請求項１５】
前記回転手段による回転運動の回転方向を、急速冷却中に変化させることを特徴とする請求項１３または１４に記載の冷蔵庫。
【請求項１６】
前記急速冷却室には、前記急速冷却室の引き出し式扉体と一体に開閉される収納容器が備えられ、前記収納容器の底面に回転可能な回転部が備えられ、前記引き出し式扉体を閉状態とした際に、前記回転部の回転軸と、前記急速冷却室底面の回転手段の回転軸が連結することを特徴とする請求項１３乃至１５のいずれかに記載の冷蔵庫。
【請求項１７】
前記冷却器が収納される冷却器収納室と、前記急速冷却室送風経路と、前記急速冷却室と、前記急速冷却室戻り冷気経路を構成する壁面の一部を蓄熱材により構成したことを特徴とする請求項１乃至１６のいずれかに記載の冷蔵庫。
【請求項１８】
急速冷却運転の開始を指示する入力手段を備えたことを特徴とする請求項１乃至１７のいずれかに記載の冷蔵庫。
【請求項１９】
前記急速冷却室内の食品が凍結することを防止する凍結防止手段を備えたことを特徴とする請求項１乃至１８のいずれかに記載の冷蔵庫。
【請求項２０】
急速冷却運転に複数のモードを備えたことを特徴とする請求項１乃至１９のいずれかに記載の冷蔵庫。
【請求項２１】
急速冷却運転の終了判定基準値を入力する手段を備えたことを特徴とする請求項１８乃至２０のいずれかに記載の冷蔵庫。
【請求項２２】
前記終了判定基準値を、時間または温度により与えることを特徴とする請求項２１記載の冷蔵庫。
【請求項２３】
前記複数のモードの中から、特定のモード選択時に凍結防止手段が自動的に作動可能状態となることを特徴とする請求項２０乃至２２のいずれかに記載の冷蔵庫。
【請求項２４】
前記噴流吐出口は略矩形状であり、前記噴流吐出口の長辺を、前記急速冷却室の高さ寸法の過半寸法とした請求項１乃至２３のいずれかに記載の冷蔵庫。
【請求項２５】
前記略矩形の噴流吐出口を、前記急速冷却室の同一面内に複数配設し、前記同一面内の噴流吐出口の長辺寸法の合計寸法が、前記急速冷却室の奥行寸法の過半寸法とした請求項２乃至２４のいずれかに記載の冷蔵庫。
【発明の詳細な説明】
【技術分野】
【０００１】
本発明は冷蔵庫に関する。
【背景技術】
【０００２】
食品を冷却する速度、すなわち、急速冷却性能を高める従来技術は、例えば、特許文献１に記載のものがある。特許文献１によれば、急速冷却を行う冷却調理室の下部に冷却プレートを備え、急速冷却運転時には冷却プレートに冷媒を集中的に流して冷却能力を集中させることで急速冷却性能を高めることができるとされている。
【０００３】
また、特許文献２には、急速冷却が可能な食品冷却装置が開示されている。この食品冷却装置では、噴流たる冷気流束を冷却室内に放射することによって、食品の冷却時間の短縮を図っている。
【０００４】
【特許文献１】特開２００４−１４４３６５号公報
【特許文献２】特開２００４−７７０８８号公報
【発明の開示】
【発明が解決しようとする課題】
【０００５】
特許文献１に記載されている従来技術を用いて急速冷却を行う場合、主たる吸熱は、冷却調理室の下部に備えられた冷却プレートに依っている。従って、十分な冷却速度を得るためには、冷却される食品（あるいは食品を覆う容器）の表面積の主要部分を冷却プレートに密着させ、冷却プレートと食品間の接触熱抵抗を十分に低減することが必須である。しかしながら、一般に家庭用冷蔵庫の庫内で急速冷却を行う食品を考えた場合、冷却プレートと十分に密着させることができる食品は少ない。この問題に対して特許文献１では、缶飲料の冷却を行う場合、半円柱状のくぼみを有する金属ブロックを冷却プレート上に設置し、缶飲料を金属ブロックのくぼみ部に設置することで接触面積を確保し、冷却速度を高める手段が記載されている。
【０００６】
しかしながら、缶飲料の形状は、直径が大きいものや小さいもの、高さが高いものや低いものと一様な形状ではないため、すべての缶飲料に対応する金属ブロックを用意する必要があり、大幅なコストの増加を招いてしまう。また、近年増加しているペットボトル飲料の冷却まで考慮した場合、ペットボトル容器の形状は多種多様であるため、さらに対応が困難となる。さらに、飲料以外の一般の食品の形状を考慮し、金属ブロックを用意することは現実的ではない。
【０００７】
上述のように、特許文献１に記載の従来技術には、冷却プレートと密着性が悪い食品の場合、十分な冷却速度が得られないという問題があった。
【０００８】
特許文献２に記載の従来技術は、貫通孔から冷凍室内に噴出する冷気ビームを食品に向けて、食品を冷却するものであるが、食品に衝突した後の冷気の流れや、これを含めた冷気循環の構造について考慮されていなかった。また、収納される食品の載置位置や形状について考慮されたものでもなかった。
【０００９】
本発明は、上記課題に鑑みてなされたものであり、冷蔵庫の庫内において、種々の形状の食品に対して、十分な冷却速度を得ることができる冷蔵庫を提供することを目的とする。
【課題を解決するための手段】
【００１０】
上記目的を達成するために、本願の請求項１に記載の発明は、断熱箱体内に、冷却器と、冷却器を収納する冷却器収納室と、冷気を庫内に循環させるための庫内送風ファンと、食品を急速に冷却することが可能な急速冷却室と、冷気を急速冷却室に送るための送風経路と、冷気を冷却器収納室へ戻すための戻り経路とを備えた冷蔵庫において、前記急速冷却室を冷却する主たる冷却風を放出すべく噴流吐出口を、前記急速冷却室の側面に備えたことを要旨とする。
【００１１】
本願の請求項２に記載の発明は、請求項１記載の冷蔵庫において、前記噴流吐出口を複数備えたことを要旨とする。
【００１２】
本願の請求項３に記載の発明は、断熱箱体内に、冷却器と、冷却器を収納する冷却器収納室と、冷気を庫内に循環させるための庫内送風ファンと、食品を急速に冷却することが可能な急速冷却室と、冷気を急速冷却室に送るための送風経路と、冷気を冷却器収納室へ戻すための戻り経路とを備えた冷蔵庫において、前記急速冷却室を冷却する冷却風を放出する噴流吐出口を複数備え、
一の噴流吐出口から放出される冷却風と、他の噴流吐出口から放出される冷却風とが水平方向に対向して吐出され、前記急速冷却室内に収納される食品に対して両側から冷却風を供給することを要旨とする。
【００１３】
本願の請求項４に記載の発明は、請求項２または３記載の冷蔵庫において、複数備えられた前記噴流吐出口の開口面積の和を、前記送風経路を構成する急速冷凍室送風ダクトにおける最小断面積部分よりも小さくしたことを要旨とする。
【００１４】
本願の請求項５に記載の発明は、請求項２乃至４のいずれかに記載の冷蔵庫において、前記噴流吐出口を前記急速冷却室の互いに対向する面に備えたことを要旨とする。
【００１５】
本願の請求項６に記載の発明は、請求項５記載の冷蔵庫において、前記急速冷却室の互いに対向する面に備えた噴流吐出口から、速度が異なる噴流を噴出させることを要旨とする。
【００１６】
本願の請求項７に記載の発明は、請求項３記載の冷蔵庫において、前記一の噴流吐出口から放出される冷却風と前記他の噴流吐出口から放出される冷却風との速度が異なることを要旨とする。
【００１７】
本願の請求項８に記載の発明は、請求項１乃至７のいずれかに記載の冷蔵庫において、前記急速冷却室に前記噴流吐出口と前記急速冷却室の室内空間との相対位置を変更すべく噴流吐出位置変更手段を備えたことを要旨とする。
【００１８】
本願の請求項９に記載の発明は、請求項８記載の冷蔵庫において、前記噴流吐出口と前記急速冷却室の室内空間との相対位置を変更する手段に回転機構を用いることを要旨とする。
【００１９】
本願の請求項１０に記載の発明は、請求項１乃至９のいずれかに記載の冷蔵庫において、前記急速冷却室に、庫内送風ファンと別体の急速冷却室冷却ファンを備えたことを要旨とする。
【００２０】
本願の請求項１１に記載の発明は、請求項１０記載の冷蔵庫において、前記急速冷却室冷却ファンを遠心ファンとしたことを要旨とする。
【００２１】
本願の請求項１２に記載の発明は、請求項１０または１１記載の冷蔵庫において、前記急速冷却室冷却ファンの吸込み口と前記急速冷却室送風経路の終端部を連通させたことを要旨とする。
【００２２】
本願の請求項１３に記載の発明は、請求項１乃至１２のいずれかに記載の冷蔵庫において、前記急速冷却室の底面に回転手段を備えたことを要旨とする。
【００２３】
本願の請求項１４に記載の発明は、請求項１３記載の冷蔵庫において、前記回転手段による回転運動の速度を、急速冷却中に変化させることを要旨とする。
【００２４】
本願の請求項１５に記載の発明は、請求項１３または１４記載の冷蔵庫において、前記回転手段による回転運動の回転方向を、急速冷却中に変化させることを要旨とする。
【００２５】
本願の請求項１６に記載の発明は、請求項１３乃至１５のいずれかに記載の冷蔵庫において、前記急速冷却室には、前記急速冷却室の引き出し式扉体と一体に開閉される収納容器が備えられ、前記収納容器の底面に回転可能な回転部が備えられ、前記引き出し式扉体を閉状態とした際に、前記回転部の回転軸と、前記急速冷却室底面の回転手段の回転軸が連結することを要旨とする。
【００２６】
本願の請求項１７に記載の発明は、請求項１乃至１６のいずれかに記載の冷蔵庫において、前記冷却器が収納される冷却器収納室と、前記急速冷却室送風経路と、前記急速冷却室と、前記急速冷却室戻り冷気経路を構成する壁面の一部を蓄熱材により構成したことを要旨とする。
【００２７】
本願の請求項１８に記載の発明は、請求項１乃至１７のいずれかに記載の冷蔵庫において、急速冷却運転の開始を指示する入力手段を備えたことを要旨とする。
【００２８】
本願の請求項１９に記載の発明は、請求項１乃至１８のいずれかに記載の冷蔵庫において、前記急速冷却室内の食品が凍結することを防止する凍結防止手段を備えたことを要旨とする。
【００２９】
本願の請求項２０に記載の発明は、請求項１乃至１９のいずれかに記載の冷蔵庫において、急速冷却運転に複数のモードを備えたことを要旨とする。
【００３０】
本願の請求項２１に記載の発明は、請求項１８乃至２０のいずれかに記載の冷蔵庫において、急速冷却運転の終了判定基準値を入力する手段を備えたことを要旨とする。
【００３１】
本願の請求項２２に記載の発明は、請求項２１記載の冷蔵庫において、前記終了判定基準値を、時間または温度により与えることを要旨とする。
【００３２】
本願の請求項２３に記載の発明は、請求項２０乃至２２のいずれかに記載の冷蔵庫において、前記複数のモードの中から、特定のモード選択時に凍結防止手段が自動的に作動可能状態となることを要旨とする。
【００３３】
本願の請求項２４に記載の発明は、請求項１乃至２２のいずれかに記載の冷蔵庫において、前記噴流吐出口は略矩形状であり、前記噴流吐出口の長辺を、前記急速冷却室の高さ寸法の過半寸法としたことを要旨とする。
【００３４】
本願の請求項２５に記載の発明は、請求項２乃至２４のいずれかに記載の冷蔵庫において、前記略矩形の噴流吐出口を、前記急速冷却室の同一面内に複数配設し、前記同一面内の噴流吐出口の長辺寸法の合計寸法が、前記急速冷却室の奥行寸法の過半寸法としたことを要旨とする。
【発明の効果】
【００３５】
以上のような本発明によって、種々の形状の食品に対して、十分な冷却速度を得ることができる冷蔵庫を提供することができる。
【発明を実施するための最良の形態】
【００３６】
本発明の実施の形態を、図１〜図１５を参照しながら説明する。尚、以下の説明では、同一機能部品については同一符号を付して重複説明を省略する。
【００３７】
図１は本実施例の冷蔵庫を正面から見た図である。図１に示すように、冷蔵庫１は、上方から、冷蔵室２，製氷室３，急速冷却室４，冷凍室５，野菜室６から構成される。また、冷蔵室２の扉２ａには冷蔵庫１の庫内温度の設定，運転モードの設定及び庫内温度の表示等が行われる操作パネル２６が備えられている
図２は、図１中に示したＡ−Ａ断面を矢印方向から見た縦断面図である。図２に示すように、冷蔵庫１の庫外と庫内は断熱箱体１０により隔てられている。庫内は、断熱仕切壁２８，２９及び３０により、庫内上方から、冷蔵室２，急速冷却室４，冷凍室５，野菜室６に区画されている。また、急速冷却室４と図１に示す製氷室３とは図示しない断熱壁により隔てられている。冷蔵室２は回転式の扉２ａにより開閉され、急速冷却室４，冷凍室５及び野菜室６は、それぞれの室の前方に備えられた引き出し式の扉４ａ，５ａ，６ａにより開閉される。引き出し式の扉４ａ，５ａ，６ａには、それぞれ収納容器４ｂ，５ｂ，６ｂが備えられ、収納容器４ｂには例えば急速冷却を行う缶飲料を、収納容器５ｂには例えば冷凍食品を、収納容器６ｂには例えば野菜類をそれぞれ収納できる。図１に示す製氷室３は、図示しない引き出し式の扉と図示しない収納容器を備え、製氷室３の収納容器には、氷が貯蔵される。
【００３８】
冷却器７は冷凍室５の略背部に備えられた冷却器収納室８内に備えられており、冷却器７の上方に備えられた庫内送風ファン９により冷却器７で熱交換した空気（本明細書中において、熱交換した低温空気を冷気、あるいは冷却風と称することがある）が各室へ送られる。送風はダンパ２０の開閉により制御される。
【００３９】
また、断熱箱体１０の下部背面側には、機械室１９が備えられている。機械室１９には、圧縮機２４及び図示しない放熱器（凝縮器）が収納されており、図示しない庫外冷却ファンにより通風される。圧縮機２４と、図示しない放熱器と、図示しない絞り機構と、冷却器７は、図示しない冷媒管で連結され冷凍サイクルを構成している。冷媒はイソブタンである。
【００４０】
冷却器７に付着した霜は、除霜ヒータ２２により定期的に除霜される。除霜によって生じた除霜水は冷却器収納室８の下部に備えられた樋２３に流入した後に、排水管２７を介して蒸発皿２１に達し、蒸発する。
【００４１】
また、冷蔵庫１は複数の真空断熱材２５を実装している。
【００４２】
図３は本実施例の冷蔵庫の送風経路を表す図である。以下では、図３を参照しながら本実施例の冷蔵庫の冷却風の循環経路を説明する。
【００４３】
図３に示すように、冷却器収納室８内で冷却された冷却風は、庫内送風ファン９により昇圧された後に、ダンパ２０が開状態の場合は、冷蔵室送風ダクト１１，野菜室送風ダクト１５，製氷室送風ダクト１２，冷凍室送風ダクト１４，急速冷却室送風ダクト１３を介して、冷蔵室２，野菜室６，製氷室３，冷凍室５，急速冷却室４へそれぞれ送られる。そして各室を冷却した後に、冷蔵室２からは冷蔵室戻りダクト１６，野菜室６からは野菜室戻りダクト１９，急速冷却室４からは急速冷却室戻りダクト１８をそれぞれ介して冷却器収納室８に戻る。製氷室３を冷却した冷却風は、冷凍室５を冷却した冷却風と合流して、製氷室・冷凍室戻りダクト１７を介して冷却器収納室８に戻る。一方、ダンパ２０が閉状態の場合は、冷蔵室送風ダクト１１と野菜室送風ダクト１５への送風が遮断され、冷却風は、製氷室３，急速冷却室４，冷凍室５にのみ送風される。
【００４４】
冷蔵室２，野菜室６，冷凍室５，急速冷却室４には、図示しない温度センサが備えられている。野菜室６と急速冷却室４には図示しない加温ヒータが備えられている。本実施例の冷蔵庫１は、各室に備えられた温度センサが検知する温度に応じてダンパ２０の開閉と加温ヒータへの通電量が変化し、各室の温度が所定温度に保たれるようになっている。また、急速冷却室送風ダクト１３を構成する壁面には図示しない蓄熱材が備えられている。
【００４５】
以下では、図４，図５を参照しながら本実施例の冷蔵庫の急速冷却室の構成について説明する。
【００４６】
図４は本実施例の冷蔵庫の急速冷却室の構成を表す断面図である。
【００４７】
図４に示すように、急速冷却室４には、上方に急速冷却室冷却ファン３１と、急速冷却室送風ダクト１３からの冷却風を全て急速冷却室冷却ファン３１の吸込み口に流入させるべく部材３５と、急速冷却室冷却ファン３１から吐出する冷却風が通るダクト３２と、急速冷却室戻りダクト１８と連通する排気口４４が備えられている。また、急速冷却室側面３７には、図示しないモータにより駆動される回転部３７′が備えられており、回転部
３７′には噴流吐出口３３が備えられている。ダクト３２を通った冷却風は噴流吐出口
３３から放出される。急速冷却室底面には図示しないモータにより駆動される回転部３４が備えられている。収納容器４ｂの側面には、噴流吐出口３３から放出される噴流の流れを、収納容器４ｂが妨げないように窓部（開口部）３６が備えられている。また、収納容器４ｂの底面には、回転可能な回転部４ｂ′が備えられており、扉４ａを閉じた状態では、収納容器４ｂの底面の回転部４ｂ′と、急速冷却室底面回転部３４の回転軸が連結される。よって、回転部４ｂ′は急速冷却室底面の回転部３４を回転させる駆動力によって回転する。尚、急速冷却室冷却ファン３１は遠心ファンとしているが、この理由については後述する。また、噴流吐出口３３の長辺は、急速冷却室４の高さ寸法の過半寸法となっている。また、急速冷却室側面３７には、前後に二箇所の噴流吐出口３３を備え、その長辺寸法の合算値は、急速冷却室４の奥行寸法の過半寸法となっている。
【００４８】
図５は図４中に示すＢ−Ｂ断面を矢印方向に見た断面図である。
【００４９】
急速冷却室冷却ファン３１により昇圧された冷却風は、ダクト３２を介して急速冷却室４の庫外側に位置する面３７ａ側と製氷室側に位置する面３７側の双方に送られ、それぞれの面の略鏡面対象の位置に備えられた噴流吐出口３３，３３′から放出される。ここで、急速冷却室冷却ファン３１によって送られた冷却風が、ダクト３２の分岐によって、それぞれ庫外側及び製氷室側へと導かれるが、それぞれのダクト３２は異なる断面積を有している。本実施例では、庫外側の方が製氷室側に比べて狭く、通風抵抗が大きい形状となっている。この構成によれば、庫外側の方が製氷室側に比べて噴流噴出速度を小さくすることができる。尚、急速冷却室４には図示しない加温ヒータと温度検知器が備えられている。
【００５０】
次に、本実施例の冷蔵庫の急速冷却機能の使用方法を説明する。
【００５１】
ユーザーは急速冷却機能を使用する場合、まず、急速冷却室収納容器４ｂ内の所定の位置に食品を設置する。次に、冷蔵室扉２ａに備えられた操作パネル２６から、「急速冷却運転」を選択し、続いて、急速冷却運転モードの選択を行う。急速冷却運転モードは複数に分かれており、本実施例の冷蔵庫では、「スピード冷却」と、「スピード冷凍」とが選択できる。「スピード冷却」は凍結を望まない食品の冷却を行う場合に選択し、「スピード冷凍」は、凍結を望む食品の冷却を行う場合に選択する。
【００５２】
「スピード冷却」を選択した場合、次に、急速冷却室底面の回転の有無（オン／オフ）を設定する。これは、急速冷却室４内の収納容器４ｂの底面に設けられた回転部４ｂ′に食品を設置した場合にはオンとし、食品が回転部４ｂ′に収まらない場合や、回転が不要と判断した場合にはオフとする。回転のオン／オフは収納容器４ｂの底面にある二つの回転部４ｂ′に対し独立に設定できる。
【００５３】
次に、冷却対象となる食品の形状を「たてなが」「うすもの」「大もの」から選択する。ユーザーは、例えば３５０ミリリットル缶ビールのようなものを、縦置きする場合は
「たてなが」を選択，食品の背丈が低いものを冷却する場合、「うすもの」を選択、背丈も幅も大きい食品を冷却する場合「大もの」を選択する。
【００５４】
続いて、急速冷却終了条件として「冷却時間」または「到達温度」の何れかを選択し、終了条件の設定を行う。「スピード冷却」を選択し、且つ、急速冷却終了条件を「冷却時間」により与えた場合、食品が凍結に至ることを防止するための「凍結防止機能」が自動的にオン状態となるが、ユーザーが「凍結防止機能」は不要と判断した場合には、操作パネルから、これを解除することができる。
【００５５】
ただし、「凍結防止機能解除」の操作を行うと、再確認を促す表示「凍結防止機能を解除しますか？」が操作パネルに表示され、これに同意した場合にのみ凍結防止機能は解除される。以上で「スピード冷却」選択時の設定が完了したので、ユーザーは「冷却スタート」を選択する。この操作により、急速冷却機能が作動する。
【００５６】
上記の各設定が完了した後の急速冷凍運転について、図６を用いて説明する。図６は、本実施例に係る急速冷凍運転のフロー図である。「冷却スタート」の入力を受けて、冷蔵室２と野菜室６への送風を制御するダンパ２０が閉状態に、圧縮機２４，庫内送風ファン９，急速冷却室冷却ファン３１の回転数が高速回転になり、急速冷却運転が開始される
（ステップＳ１１０）。なお、このとき、庫外冷却ファン（不図示）も圧縮機２４の高速回転に即した高速回転とし、冷凍サイクル全体の高効率化を図っている。
【００５７】
このとき、ユーザーが回転をオンと設定していた場合、急速冷却室底面の回転部３４が駆動され、これに伴って収納容器４ｂの回転部４ｂ′が回転運動を始める（ステップＳ
１２０〜Ｓ１３０）。回転部３４の回転運動は、正回転で始動し、回転速度向上，回転速度減少，停止，逆回転で始動，回転速度向上，回転速度減少，停止、再び正回転で始動を繰り返す非定常回転運動である。急速冷却室４の底面の回転部３４が上記回転運動を行うことで、急速冷却室底面の回転部３４の回転軸と連結された収納容器４ｂの底面の回転部４ｂ′も同様の回転運動を行う。したがって、収納容器４ｂの底面の回転部４ｂ′に載せられた食品も同様の回転運動を行う。
【００５８】
次に、上記の設定において選択された食品形状に基づいて噴流吐出口の制御が行われる（ステップＳ１４０〜Ｓ１５０）。例えば、ステップＳ１４０において、ユーザーが食品の形状を「たてなが」と設定した場合、急速冷却運転時の噴流吐出口３３，３３′は、噴流吐出口が備えられた回転部３７′をモータによって回転させることで、矩形状の開口部の長辺が略垂直方向となるように制御される（ステップＳ１５０）。このとき開口部は、回転部３７′の回転中心より急速冷却室扉４ａ側に位置するように制御される(図４参照)。また、ユーザーが食品の形状を「うすもの」と設定した場合、同様に回転部３７′が回転することにより、矩形状の開口部の長辺が略水平方向で、且つ、回転部３７′の回転中心より急速冷却室底面側に位置するように制御される（ステップＳ１５０）。さらに、ユーザーが食品の形状を「おおもの」と設定した場合、回転部３７′の位置が変動しながら冷却が行われる（ステップＳ１５０）。
【００５９】
急速冷却運転は、ユーザーが設定した急速冷却終了条件が満足された場合に終了され、通常運転に戻る（ステップＳ１６０〜冷却終了まで）。
【００６０】
ただし、図７に示すように、ユーザーが「スピード冷却」を選択し、且つ、急速冷却終了条件を「冷却時間」により与え（ステップＳ１６１〜Ｓ１６２）、「凍結防止機能」を解除しなかった場合（ステップＳ１６３）には、急速冷却室４に備えられた温度検知器が検知する温度が所定温度以下になった場合（ステップＳ１６６）、食品が凍結する危険性があると判断し、強制的に急速冷却運転が終了され、急速冷却運転終了後も所定温度以下にならないように加温ヒータが適宜作動し（ステップＳ１６７）、急速冷却室４の温度が保持される。
【００６１】
ユーザーが急速冷却運転モードで「スピード冷凍」を選択した場合も「スピード冷却」選択時と同様に、急速冷却室底面の回転の有無，冷却対象となる食品の形状，急速冷却終了条件を設定し「冷却スタート」を選択することで、「スピード冷凍」機能を利用できる。ただし、「スピード冷凍」選択時には「凍結防止機能」は無条件でオフ状態となる（ステップＳ１６２，Ｓ１６４参照）。
【００６２】
「凍結防止機能」を解除していた場合には、ステップＳ１６４において冷却時間の経過が判断される。そして、時間が経過すると冷却終了条件具備と判断される（ステップＳ
１６０）。また、急速冷却終了条件として、「到達温度」が選択されていた場合には、選択された到達温度に到達したか否かが判断される（ステップＳ１６５）。そして、温度検知器によって検知される温度が到達温度に達すると冷却終了条件具備と判断される（ステップＳ１６０）。急速冷却の終了は、ブザーが鳴動することでユーザーに報知される（ステップＳ１７０）。
【００６３】
以上で本発明の実施例の冷蔵庫の説明を行ったが、以下では本発明の実施例の冷蔵庫が奏する効果を説明する。
【００６４】
本発明の実施例の冷蔵庫の急速冷却室４は、側方に急速冷却室４の主たる冷却手段となる噴流を放出する噴流吐出口３３，３３′が備えられている。これにより、形状が異なる種々の食品を急速に冷却することが可能となる。以下でその理由を説明する。
【００６５】
例えば特許文献１に記載の従来技術は、主たる冷却手段は急速冷却を行う室の下部の冷却プレートからの固体熱伝導に依っている。よって、冷却プレートと密着性が悪い食品の場合、十分な冷却速度が得られないという問題があった。したがって、特許文献１に記載の従来技術では、種々の形状の食品に対して、十分な冷却速度を得ることはできない。
【００６６】
主たる冷却手段を、冷却プレートのような固体熱伝導を利用した吸熱に依る場合、その設置位置を何れの場所にしても、上記と同様の問題が生ずるため、種々の形状の食品に対して、十分な冷却速度を得ることはできない。
【００６７】
次に、主たる冷却手段を、急速冷却室の上方からの空冷とした場合を考える。一般に、冷却風放出起点の面積が冷却風放出領域の断面積に比べて小さい場合、冷却風放出起点から冷却対象物までの距離が大きくなると、冷却風が拡散し、風速が減速するために、冷却対象物表面の熱伝達性能は低下する。したがって、上方からの空冷で背丈の低い食品の冷却を行う場合、ユーザーが台等を用意し、食品の設置高さを変更しない限り上記理由により十分な冷却速度が得られない事態が生ずる。
【００６８】
次に、主たる冷却手段を、急速冷却室の下方からの空冷とした場合を考える。この場合、冷却風放出起点から冷却対象物までの距離は固定されるため、上方からの空冷の場合に生じた、食品の形状によって冷却風放出起点からの距離がばらつく事態は生じない。しかしながら、上向きの吐出口が存在する構造となることから、水滴，くず等が吐出口から風路に進入し凍結し、風路の一部あるいは全体を閉塞するという事態が生ずる。この場合、急速冷却室の冷気風量が減少し、十分な冷却速度を得ることができなくなる。
【００６９】
本実施例に係る冷蔵庫の急速冷却室４においては、側方からの噴流を主たる冷却手段としている。これは、固体熱伝導に依らない冷却手段であるため、食品と急速冷却室４の底面との接触の度合いにより冷却速度が左右される固体熱伝導を利用した場合に比べて、より多種の形状の食品を急速に冷却することができる。また、冷却冷気を側方から供給しているので、吐出口から食品までの距離は、食品の水平方向設置位置を変えることで容易に調節できるため、種々の形状の食品を急速に冷却することが可能となる。よって、大変使い勝手が良い冷蔵庫を提供することができる。
【００７０】
本発明の実施例の冷蔵庫は、急速冷却室４の側方に複数の噴流吐出口３３，３３′が備えられている。これにより、複数の食品の急速冷却と、大型の食品の温度ムラを抑えた急速冷却が可能となる。
【００７１】
単一の噴流で冷却する場合、噴流が当たる部分に比べて、噴流が当たらない部分では、大幅に熱伝達性能が劣る。したがって、例えば、複数の食品を急速冷却する場合、噴流が当たるところに設置された食品は冷却速度が速く、噴流が当たらない部分に設置された食品は冷却速度が大幅に遅くなり急速冷却ができないという事態が生ずる場合があった。また大型の食品を冷却する場合も同様に、噴流が当たる部分は冷却速度が速く、噴流が当たらない部分は冷却速度が大幅に遅くなり、結果的に温度ムラが大きくなってしまうため、例えば、急速冷凍を実施しても良質な冷凍食品を得ることができないという事態が生ずる場合があった。そこで、本実施例に係る冷蔵庫の急速冷却室４は側方に複数の噴流吐出口３３，３３′を備えることで、複数の食品の急速冷却と、大型の食品の温度ムラを抑えた急速冷却を可能としている。
【００７２】
本発明の実施例の冷蔵庫は、急速冷却室４の側方の対向する壁面に噴流吐出口３３，
３３′が備えられ、食品に対して側方に対向する噴流を吐出している。このように、冷却の対象となる食品に対して、両側から対向する噴流を吐出する噴流吐出口３３，３３′を備えることにより、食品をより急速に冷却することが可能となる。以下、図８，図９を参照しながら理由を説明する。
【００７３】
図８および図９は円柱状の食品３８（例えば缶飲料）を冷却する場合を例として、食品に単一の噴流が衝突する場合と、対向する二噴流が食品に衝突する場合の流れ場を模式的に表す図である。
【００７４】
図８に示すように、単一の噴流が円柱状の食品３８に衝突した場合、コアンダ効果によって食品の表面に沿って流れた後に、背面側で剥離を起こす。よって、流れが剥離する図４中の領域ａで示す領域は熱伝達性能が低い領域となる。
【００７５】
一方、図９に示すように、対向する二噴流を食品３８に衝突させた場合、単一の噴流の場合に生じた低熱伝達領域が、別の噴流が衝突することによって高熱伝達領域となることで、大幅に熱伝達性能が向上する。したがって、食品をより急速に冷却することが可能となる。
【００７６】
本発明の実施例の冷蔵庫は、急速冷却室４の互いに対向する面に備えられた噴流吐出口３３，３３′から速度の異なる噴流が放出されている。これにより、食品をより急速に冷却することが可能となる。以下、図１０を参照しながら理由を説明する。
【００７７】
図１０は円柱状の食品３８を冷却する場合を例として、食品に対向する速度の異なる二噴流（高速噴流４２と低速噴流４３）が食品に衝突する場合の流れ場を模式的に表す図である。
【００７８】
一般に、家庭用冷蔵庫に備えられる急速冷却室は、冷却対象物の周囲に十分な空間が確保されていない場合がほとんどである。すなわち、図１０に示すように、側壁や隣接する他の冷却対象物の影響によって、狭空間（図１０中の領域ｂで表す領域）が生ずる。このような狭空間が生じている場合、対向する二噴流が同じ速度であると、狭空間の両側には同等の力が働き、冷却風がスムーズに一方から他方に通過し難くなり、狭空間近傍の熱伝達性能が悪化する。そこで、本実施例に係る冷蔵庫の急速冷却室においては、対抗する面の吐出口から、異なる速度の噴流を噴出させている。これにより、図１０に示すように、狭空間を高速噴流側（図中の上側）から低速噴流側（図中の下側）に冷却風がスムーズに通過できる。また、低速噴流が、高速噴流において熱伝達性能が低くなる領域（図８に示す領域ａ）の熱伝達性能を高めるため、全体として高い熱伝達性能を得ることができる。よって、食品をより急速に冷却することが可能となる。
【００７９】
なお、図５に示す例では、噴流吐出口３３，３３′からの冷却風が水平方向に吐出される構成を示しているが、本実施例はこれに限られるものではない。例えば、図１１に示すように、斜め上方から冷却風が吐出される構成としても差し支えない。このとき、両側の噴流吐出口３３，３３′から対向して吐出される噴流速度の水平方向成分が異なっていれば、食品の急速な冷却に関し、同様の作用効果が得られる。すなわち、図１１の例のように、冷却の対象となる食品に対して、両側から水平方向で対向している噴流を吐出する噴流吐出口３３，３３′を備えていれば、急速冷却効果が得られる。
【００８０】
また、図５では、速度の絶対値が異なる冷却風を対向して噴出する構成としているが、両側から吐出される冷却風の吐出方向を異ならしめることによって、両側から吐出される冷却風の水平方向成分を互いに異ならしめることもできる。その際、両側から吐出される噴流の吐出方向を変えることで噴流速度の水平方向成分を変えることと、速度の絶対値そのものを変えることを、択一的に行う必要はなく、両者を合わせて採用して適宜調整することができる。
【００８１】
本発明の実施例の冷蔵庫は、急速冷却室４の噴流吐出口３３，３３′と室内空間の相対位置を変更する手段を備えている。これにより、冷却の対象となる食品の形状、設置位置に対応した急速冷却を行うことが可能となる。具体的には、急速冷却室４に噴流吐出口
３３，３３′を回転させる機構３７′を備え、噴流吐出口３３，３３′と室内空間の相対位置を、回転機構を回転させることによって変更している。これにより、複雑な機構を用いずに噴流吐出口の室内空間との相対位置を変更できるため、コストの増加を抑えて、冷却の対象となる食品の形状，設置位置に対応した急速冷却を行うことが可能となる。
【００８２】
本発明の実施例の冷蔵庫は、急速冷却室４に、冷却器７の冷気を冷蔵室２，冷凍室５等の庫内に循環させるための庫内送風ファン９とは別体の急速冷却室冷却ファン３１を備えている。これにより、より高速な噴流を急速冷却室４に放出させることができるため、食品をより急速に冷却することができる。特に、本実施例では、急速冷却室冷却ファン３１として、遠心ファンを用いている。これにより急速冷却室４の内容積の減少を最小限に抑え、有効内容積の大きい急速冷却室４を提供することができる。以下、理由を図１２と図１３を参照しながら説明する。
【００８３】
図１２は遠心ファンとその前後の風路の関係を表す図である。また、図１３は軸流ファンとその前後の風路の関係を表す図である。
【００８４】
図１２に示すように、遠心ファン４０は流入した流れを９０度転向させて吐出する特性がある。一方、図１３に示す軸流ファン４１（一般に冷蔵庫の庫内ファンとして使用されているプロペラファンも軸流ファンの一種）の場合、基本的に回転軸方向から吸込み、回転軸方向に吐出する。したがって、軸流ファン４１を用いる場合、少なくとも吸込側と吐出側に軸流ファン４１の外径程度の幅（図１３中のＬ３で示す幅）の空間を設ける必要がある。
【００８５】
一方、遠心ファン４０では、吸込側の空間は遠心ファンの翼の外径程度の幅（図１２中のＬ１で示す幅）の空間を必要とするが、吐出側は遠心ファンの厚さ（翼の高さ）程度の幅（図１２中のＬ２で示す幅）の空間があれば良い。よって、急速冷却室４の専用ファンを遠心ファンとすることで、軸流ファンに比べて省スペース設置が可能となる。さらに、一般に、高速噴流を生じさせるためには高静圧ファンを用いることが必要である。この観点から考えても、遠心ファンは遠心力によって高静圧を容易に生み出すことできるファンであることから、急速冷却室４に適したファンであるといえる。
【００８６】
このような急速冷却室冷却ファン３１を用いるとともに、急速冷却室４に、急速冷却室冷却ファン３１の吸込口と急速冷却室送風経路の終端部を連通させる風路部材を有している。これにより急速冷却室冷却ファン３１は、一度吐出した冷却風を再び吸込む現象、いわゆるショートサーキット現象を防止することができ、食品をより急速に冷却することができる。
【００８７】
加えて、本発明の実施例の冷蔵庫は、急速冷却室４に食品を回転させる手段４ｂ′，
３４を備えている。これにより、より急速に温度ムラを抑えて食品を冷却することができる。以下、その理由を説明する。
【００８８】
まず、飲料のように、食品が液状であった場合（飲料等）について説明する。液状の食品は、通常、容器内に収納された状態で冷却される。液状の食品を回転させた場合、液体も回転運動を始める。これにより容器の内壁と、内壁近傍の液体との速度勾配が静止時に比べて急になり、熱抵抗が低減される。
【００８９】
次に、食品が固体状であった場合であるが、固体状の食品の場合、食品の内部は熱伝導によって冷却が進む。一般に、食品内部の熱伝導率は十分に大きくないため、食品の内部には、冷却風が当たる場所と当たらない場所で温度のムラができる。この温度ムラのために、凍結が望ましくない食品が局所的に凍結する等の事態の原因となる。そこで、食品を回転させることで、冷却風が周方向に一様に当たるため、温度ムラを抑えて、良好な状態で食品を冷却することができる。
【００９０】
さらに、本発明の実施例の冷蔵庫は、急速冷却室に食品を回転させる手段を備え、その回転速度を変化させている。これにより、液状の食品をより急速に冷却することができる。以下、その理由を説明する。
【００９１】
上述のとおり、飲料内壁近傍の速度勾配を急勾配とすることで容器に収納された液状の食品をより急速に冷却できるわけであるが、一定速度で回転させる場合、回転始動時には、流体が静止状態で、容器壁面が動くため、速度勾配は非常に大きくなる。したがって熱抵抗は小さい状態となる。さらに一定速度で回転を続けると、次第に内部まで回転運動が伝わり、容器壁面近傍の速度勾配は始動時に比べて緩くなる。よって次第に熱抵抗が大きくなる。
【００９２】
そこで、本実施例に係る冷蔵庫の急速冷却室４では、食品の回転速度を変化させている。これによって、内部の流体と容器壁面間の相対速度が大きい状態が維持されるため、容器内部の熱抵抗が低減され、より急速に液状の食品を冷却することができる。
【００９３】
本発明の実施例の冷蔵庫は、急速冷却室に食品を回転させる手段を備え、その回転方向を変化させている。これにより、内部の流体と容器壁面間の相対速度が大きい状態が維持されるため液状の食品をより急速に冷却することができる。
【００９４】
本発明の実施例の冷蔵庫は、急速冷却室４の冷気循環経路の一部に蓄熱材を配している。これにより、急速冷却時に十分な冷却能力を得ることができるため、食品をより急速に冷却することができる。
【００９５】
本発明の実施例の冷蔵庫は、急速冷却運転の開始を指示する入力手段（例えば、操作パネル２６）を備えている。これにより、ユーザーが意図したときに急速運転が実施できるため、使い勝手の良い冷蔵庫となる。
【００９６】
本発明の実施例の冷蔵庫は、急速冷却室４に凍結防止手段を備えている。これにより、凍結することが望ましくない食品の冷却を安全に行うことができる使い勝手の良い冷蔵庫となる。
【００９７】
本発明の実施例の冷蔵庫は、急速冷却運転に複数のモードを備えている。これにより、ユーザーは冷却したい食品に適した運転を用意に選択できるため使い勝手の良い冷蔵庫となる。
【００９８】
本発明の実施例の冷蔵庫は、急速冷却運転の終了判定基準値を入力する手段を備えている。これにより、ユーザーは意図した段階で急速冷却運転を終了できるため使い勝手の良い冷蔵庫となる。
【００９９】
本発明の実施例の冷蔵庫は、急速冷却運転の終了判定基準地を時間または温度により与えることができる。これにより、ユーザーは専門的な知識がなくても終了判定基準値を入力することができるため使い勝手の良い冷蔵庫となる。
【０１００】
本発明の実施例の冷蔵庫は、急速冷却運転の複数のモードの中から特定のモードをユーザーが選択した場合、自動的に凍結防止手段が作動可能状態となる。これにより、ユーザーの操作ミスによる食品の凍結を防止できるため、信頼性の高い冷蔵庫となる。
【０１０１】
本発明の実施例の冷蔵庫は、急速冷却室４の側面に備えられた噴流吐出口３３，３３′の長辺長さを、急速冷却室４の高さ寸法（少なくとも収納容器４ｂの高さ寸法）の過半寸法としている。これにより、背丈の高い食品を冷却する場合であっても、食品の過半領域に噴流を当てることが可能となり、食品をより急速に冷却することができる。
【０１０２】
本発明の実施例の冷蔵庫は、急速冷却室４の側面に備えられた二つの噴流吐出口３３，３３′の長辺長さの合計寸法を、急速冷却室４の奥行寸法（少なくとも収納容器４ｂの奥行寸法）の過半寸法としている。これにより、奥行寸法が大きい食品を冷却する場合であっても、吐出口を水平方向に配設することで、食品の過半領域に噴流を当てることが可能となり、食品をより急速に冷却することができる。
【０１０３】
本発明の実施例の冷蔵庫は、急速冷却室送風ダクト１３及び急速冷却室戻りダクト１８中の最小風路断面積が、急速冷却室４に備えられた噴流吐出口３３の総開口面積より大きい。また、急速冷却室４を冷却する冷却風が分岐して通る風路においては、それぞれの風路の最小風路断面積の和が、急速冷却室４に備えられた噴流吐出口３３の総開口面積より大きい。さらに、急速冷却室冷却ファン３１から噴流吐出口３３に至るダクト３２において風路が分岐しており、分岐後のそれぞれの風路の最小風路断面積が、それぞれ対応する風路に備えられた噴流吐出口３３の総開口面積より大きい。
【０１０４】
特に、冷却器７が配設される冷却器収納室８から庫内送風ファン９によってダンパ２０，急速冷却室送風ダクト１３及びダクト３２を経由して急速冷却室４へと送られる冷気の全経路（以下、送風通路という。）、及び急速冷却室４を冷却した冷気が排気口４４を経て急速冷却室戻りダクト１８を経由して冷却器収納室８へと戻る全経路（以下、戻り通路という。）と、噴流吐出口３３との関係は次の通りである。
【０１０５】
第一に、送風通路において、風路の断面積が最も小さくなる部分の断面積は、噴流吐出口３３の開口面積の総和よりも大きい。第二に、戻り通路において、風路の断面積が最も小さくなる部分の断面積は、噴流吐出口３３の開口面積の総和よりも大きい。すなわち、送風通路と戻り通路からなる冷却風循環経路における断面積最小部分は噴流吐出口３３の全開口面積よりも大きい構造としている。
【０１０６】
これらにより、良好な噴流が得られ、食品をより急速に冷却することができ、さらに、冷却風循環経路（すなわち、送風通路と戻り通路とからなる経路）を形成するダクト内に着霜が生じ難くなり、風路の閉塞による冷却性能の悪化を防止することができる。以下、図１４，図１５を参照しながら理由を説明する。
【０１０７】
図１４は風路の断面積の変化を表す概念図である。また、図１５は冷蔵庫の風路における着霜が生じやすい箇所を表す図である。
【０１０８】
図１４中に示すＡ１及びＡ２は噴流吐出口３３の開口面積を表し、Ａ３は急速冷却室送風ダクト１３及び急速冷却室戻りダクト１８中で風路断面が最小となる箇所の風路断面積を表す。一般に、通風抵抗は風速と関係があり、風速が大きいほど通風抵抗は大きくなる。風速は風路断面と関係し、風路断面が小さいほど風速が大きくなる。すなわち、風路断面が小さい箇所では大きな通風抵抗が生じ、風路断面が大きい箇所では通風抵抗は小さい。（Ａ１＋Ａ２）＞Ａ３なる風路を形成した場合、噴流吐出口３３以外で大きな通風抵抗が生じることになり、循環する冷却風の風量はＡ３の抵抗により概略決まる。
【０１０９】
したがって、Ａ３の大きな抵抗の影響で、循環する冷却風の風量は小さく抑えられるため、Ａ３に対して総面積が大きい噴流吐出口３３を通過する冷却風の風速は小さくなる。よって、所望の高速噴流（噴流吐出口開口面積に基づいた高速噴流）が得られないため食品の冷却性能は悪くなる。一方、本発明の実施例の冷蔵庫は、（Ａ１＋Ａ２）＜Ａ３なる風路を形成している。よって、風路断面積が小さい噴流吐出口３３において支配的な通風抵抗が生じる風路構成となっているため、循環する冷却風の風量は噴流吐出口３３の開口面積により概略決まる。したがって、噴流吐出口３３からは開口面積に基づいた高速噴流が得られ、食品をより急速に冷却することができる。
【０１１０】
また、本発明の実施例の冷蔵庫は、急速冷却室冷却ファン３１の下流のダクト３２において風路が２つに分岐している。分岐後のそれぞれの風路の風路断面が最小となる箇所
Ａ４及びＡ５と、噴流吐出口３３の開口面積Ａ１及びＡ２は、（Ａ１＋Ａ２）＜（Ａ４＋Ａ５）、及びＡ４＞Ａ１，Ａ５＞Ａ２の関係を満足している。これにより、風路が分岐した後も、噴流吐出口３３において支配的な通風抵抗が生じる風路構成となっているため、噴流吐出口からは開口面積に基づいた高速噴流が得られ、食品をより急速に冷却することができる。
【０１１１】
また、一般に、冷蔵庫内のダクトにおいては、流れがよどんだ領域に着霜が進む傾向が見られる。例えば、図１５に示すように、ダクト４５内において、風路断面が小さい領域があると、風路断面が小さい領域を通った速い流れが、風路断面が大きい領域に流れ込む際にはく離し、よどんだ領域（図１５中の領域ｃ）が生じ、その領域に霜が成長しやすい。
【０１１２】
そこで、本発明の実施例の冷蔵庫では、Ａ１＋Ａ２＜Ａ３と、（Ａ１＋Ａ２）＜（Ａ４＋Ａ５）と、Ａ４＞Ａ１，Ａ５＞Ａ２の各関係を満足するよう風路を形成した。このような構成とすることで、領域ｃに該当する箇所は主に噴流吐出口３３の下流側、すなわち、急速冷却室４へと至る送風通路内ではなく、急速冷却室４内に形成される。急速冷却室４は十分なスペースがあるため、仮に着霜が生じても、霜によって風路が閉塞されることはなく、急速冷却の性能が悪化することがない。
【０１１３】
また、本発明の実施例の冷蔵庫では、噴流吐出口３３は急速冷却室４の側面に備えられており、急速冷却室４の背面下方奥に設置されている冷却器７（冷却器収納室８）からの距離は十分確保されている。よって、冷却器７（冷却器収納室８）からの熱伝導の影響により噴流吐出口３３が備えられている壁面が冷やされることを抑えられる。これにより、図１５に示す領域ｃに相当するよどみ領域が噴流吐出口３３の下流側に生じても、周囲の壁面が過度に冷やされていないため着霜は進み難い。
【０１１４】
尚、上述した本実施例では、急速冷却室の噴流吐出口を側方に限っているが、例えば、主たる冷却風を側方の噴流吐出口から放出させ、従たる冷却風を、急速冷却室の上方から放出させる構成としても良い。
【図面の簡単な説明】
【０１１５】
【図１】本発明の実施例に係る冷蔵庫の正面図。
【図２】図１のＡ−Ａ断面を表す図。
【図３】本発明の実施例に係る冷却風循環経路を表す図。
【図４】本発明の実施例に係る急速冷却室の構造を表す断面図。
【図５】図４のＢ−Ｂ断面を表す図。
【図６】本実施例に係る急速冷却運転のフロー図。
【図７】本実施例に係る急速冷却運転のフロー図。
【図８】冷却対象物とその周りの冷却風の流れを表す図。
【図９】冷却対象物とその周りの冷却風の流れを表す図。
【図１０】本発明の実施例に係る冷却対象物とその周りの冷却風の流れを表す図。
【図１１】図５とは異なる断面構造を示す図。
【図１２】遠心ファンとその前後の風路の関係を表す図。
【図１３】軸流ファンとその前後の風路の関係を表す図。
【図１４】風路の断面積の変化を表す概念図。
【図１５】冷蔵庫の風路における着霜が生じやすい箇所を表す図。
【符号の説明】
【０１１６】
１…冷蔵庫、２…冷蔵室、３…製氷室、４…急速冷却室、４ａ…急速冷却室扉、４ｂ…急速冷却室収納容器、５…冷凍室、６…野菜室、７…冷却器、８…冷却器収納室、９…庫内送風ファン、１０…断熱箱体、１１…冷蔵室送風ダクト、１２…製氷室送風ダクト、
１３…急速冷却室送風ダクト、１４…冷凍室送風ダクト、１５…野菜室送風ダクト、１６…冷蔵室戻りダクト、１７…製氷室・冷凍室戻りダクト、１８…急速冷却室戻りダクト、１９…野菜室戻りダクト、２０…ダンパ、２１…蒸発皿、２２…除霜ヒータ、２３…樋、２４…圧縮機、２５…真空断熱材、２６…操作パネル、２７…排水管、２８，２９，３０…断熱仕切壁、３１…急速冷却室冷却ファン、３２…ダクト、３３…噴流吐出口、３４…急速冷却室底面回転部、３５…部材、３６…窓部、３７…急速冷却室側面、３７′…急速冷却室側面回転部、３８…冷却対象物、３９…壁、４０…遠心ファン、４１…軸流ファン、４２…高速噴流、４３…低速噴流、４４…排気口。
【図１】
2008008565.tif 000003
【図２】
2008008565.tif 000004
【図３】
2008008565.tif 000005
【図４】
2008008565.tif 000006
【図５】
2008008565.tif 000007
【図６】
2008008565.tif 000008
【図７】
2008008565.tif 000009
【図８】
2008008565.tif 000010
【図９】
2008008565.tif 000011
【図１０】
2008008565.tif 000012
【図１１】
2008008565.tif 000013
【図１２】
2008008565.tif 000014
【図１３】
2008008565.tif 000015
【図１４】
2008008565.tif 000016
【図１５】
2008008565.tif 000017